(57)【特許請求の範囲】
【請求項１】
環状部に放射状に複数のポールが突設されている固定子積層鉄心の前記各ポールに絶縁材を介してコイルがそれぞれ巻装され、前記各コイルは隣り合う前記各ポールに巻き方向を逆にして渡り線を介して連続して巻装されている発電機用固定子において、
前記各ポールの基部に対応した前記環状部にそれぞれコイル係止部が設けられ、１つの前記ポールに巻かれた前記コイルの巻き終わり線はそのポールに添わせて前記環状部の積層方向の端面側に導くように前記コイル係止部により規制され、該環状部の積層方向の端面側に至った巻き終わり線は前記渡り線となり、該渡り線は前記コイル係止部により前記環状部に添って隣の前記ポールに渡され、前記隣のポールでは前記コイル係止部により規制されて該ポールに巻付けられ、該ポールに巻かれた前記コイルの巻き終わり線はそのポールに添わせて前記環状部の積層方向の端面側に導くように前記コイル係止部により規制されていることを特徴とする発電機用固定子。
【請求項２】
前記コイル係止部は前記環状部側の絶縁材の部分に突設された複数のピンにより構成されていることを特徴とする請求項１に記載の発電機用固定子。
【請求項３】
前記コイル係止部は前記環状部側の絶縁材の部分に設けられた溝により構成されていることを特徴とする請求項１に記載の発電機用固定子。
【発明の詳細な説明】
【０００１】
【発明の属する技術分野】
本発明は、コイルが隣り合うポールに連続して逆向きに巻かれている発電機用固定子に関するものである。
【０００２】
【従来の技術】
従来の発電機用固定子は、図４及び図５（Ａ）（Ｂ）に示すように環状部１に放射状に複数のポール２ａ〜２ｈが突設されている固定子積層鉄心３で、対向するポール２ｄ，２ｈを取付けポールとし、残りのポール２ａ〜２ｃ，２ｅ〜２ｇの表面と環状部１の周縁部にプラスチック等の絶縁材３ｉが被覆され、これら絶縁材３ｉが被覆されたポール２ａ〜２ｃとポール２ｅ〜２ｇのうち、中央のポール２ｂ，２ｆを空ポールとし、このような固定子積層鉄心３のポール２ａにコイル４ａを、コイル巻き始め４ａｓをスタートとしてコイル巻き終り４ａｅまで巻装し、コイル巻き終り４ａｅは積層構造の環状部１の一方の端面側に存在するようにし、このコイル巻き終り４ａｅにつながる渡り線４ｗを環状部１の一方の端面に添わせてポール２ｃに導き、該ポール２ｃにコイル４ｃを巻装し、このコイル４ｃのコイル巻き終りは積層構造の環状部１の他方の端面側に存在するようにし、このコイル４ｃの末端につながる渡り線４ｗを積層構造の環状部１の他方の端面側に添って取付けポール２ｄを越えてポール２ｅに巻き付け、このコイル４ｃのコイル巻き終り４ｃｅを外部に出し、また別のコイル４ｇをポール２ｇにコイル巻き始め４ｇｓをスタートとしてコイル巻き終り４ｇｅまで巻装した構造であった。なお、７は取付けポール２ｄ，２ｈに設けられている取付け孔であって、図示しないネジにて内燃機関のケース等に取付けられるようになっている。
【０００３】
このような構造の発電機用固定子によれば、渡り線４ｗが積層構造の環状部１のいずれかの端面に添わせて渡らせる構造のため、この発電機用固定子が例えば内燃機関等の振動源に取付けられ、各ポール２ａ〜２ｈが振動しても、各渡り線４ｗには各ポール２ａ〜２ｈの振動による張力変動が加わらず、渡り線４ｗの断線を防止することができる。
【０００４】
しかしがら、このような構造の発電機用固定子では、渡り線４ｗが積層構造の環状部１のいずれかの端面に添わせて渡らせる構造にするためポール２ｂ，２ｆを空ポールとしているので、コイルの巻き数が不足して大きな出力が得られない問題点があった。また、このような構造では、隣接するポールにコイルを順次逆巻きで巻装する一般の巻線と異なって、無負荷時に空ポール２ｂ，２ｆの磁束密度が高くなってアンバランスとなり、コイルの発熱量が一般の巻線に比べて10℃程度高くなる問題点があった。
【０００５】
このような問題点は、図６に示すように各ポール２ａ〜２ｄにコイル４ａ〜４ｄを順次逆向きで連続させて巻装し、隣接するポールの間では環状部１の外周で渡り線４ｗを一方のポールの上または下から他方のポールの下または上へ斜めに横切って渡らせた発電機用固定子により解消することができる。
【０００６】
【発明が解決しようとする課題】
しかしながら、図６に示すような発電機用固定子では、例えば内燃機関等の振動源に取付けられて隣接するポールが逆向きに振動すると、渡り線４ｗに大きな張力が作用し、該渡り線４ｗが断線する恐れがある。
【０００７】
本発明の目的は、複数のポールにコイルを順次逆向きで連続させて巻装した状態で振動が加わっても、渡り線の断線を防止できる発電機用固定子を提供することにある。
【０００８】
【課題を解決するための手段】
本発明は、環状部に放射状に複数のポールが突設されている固定子積層鉄心の各ポールに絶縁材を介してコイルがそれぞれ巻装され、各コイルは隣り合う各ポールに巻き方向を逆にして渡り線を介して連続して巻装されている発電機用固定子を改良するものである。
【０００９】
本発明に係る発電機用固定子では、各ポールの基部に対応した環状部にそれぞれコイル係止部が設けられている。１つのポールに巻かれたコイルの巻き終わり線は、そのポールに添わせて環状部の積層方向の端面側に導くようにコイル係止部により規制されている。該環状部の積層方向の端面側に至った巻き終わり線は、渡り線となる。この渡り線は、コイル係止部により環状部に添って隣のポールに渡される。隣のポールでは、コイルはコイル係止部により規制されて該ポールに巻付けられる。該ポールに巻かれたコイルの巻き終わり線は、そのポールに添わせて環状部の積層方向の端面側に導くようにコイル係止部により規制されている。
【００１０】
このようにコイル及び渡り線をコイル係止部により規制すると、渡り線は隣接するポールの間で斜めに渡らず、環状部の積層方向の何れかの端面側で隣のポールに渡ることになり、各ポールが振動しても渡り線が断線するのを防止することができる。
【００１１】
この場合、コイル係止部は、環状部側の絶縁材の部分に突設された複数のピンにより構成されていても、環状部側の絶縁材の部分に設けられた溝により構成されていても何れでもよい。
【００１２】
【発明の実施の形態】
図１（Ａ）〜（Ｃ）乃至図３は本発明に係る発電機用固定子の実施の形態の一例を示したもので、図１（Ａ）は本例の発電機用固定子で用いる固定子積層鉄心の正面図、図１（Ｂ）は図１（Ａ）のＡ−０−Ａ断面図、図１（Ｃ）は本例の発電機用固定子で用いる固定子積層鉄心の背面図、図２（Ａ）は本例の発電機用固定子の正面図、図２（Ｂ）は図２（Ａ）のＢ−０−Ｂ断面図、図２（Ｃ）は本例の発電機用固定子の背面図、図３は本例の発電機用固定子の側面図である。なお、前述した図４〜図６と対応する部分には、同一符号を付けて示している。
【００１３】
本例の発電機用固定子では、各ポール２ａ，２ｂ，２ｃ，２ｅ，２ｆ，２ｇの基部に対応した環状部１にピンよりなるコイル係止部５ａ，５ｂ，５ｃ…がそれぞれ複数設けられている。
【００１４】
かかる状態で、１つのポール２ａに巻かれるコイル４ａの巻き始め４ａｓはターミナル６ａに半田付け接続され、コイル係止部５ａの外向き面に掛けられ、次にコイル係止部５ｂの内向き面に掛けられて位置を規制されてから、ポール２ａにコイル４ａとして巻付けられる。コイル４ａの巻き終わり線４ａｅは、そのポール２ａに添わせて環状部１の積層方向の端面側に導くようにコイル係止部５ｄの内向き面に掛けられて規制されている。該環状部１の積層方向の端面側に至った巻き終わり線４ａｅは、渡り線４ｗとなる。この渡り線４ｗは、コイル係止部５ｅの外向き面に掛けられ、次にコイル係止部５ｆの内向き面に掛けられて環状部１に添って隣のポール２ｂに渡される。隣のポール２ｂでは、コイル４ｂはコイル係止部５ｆにより規制されて該ポール２ｂに巻付けられる。該ポール２ｂに巻かれたコイル４ｂの巻き終わり線４ｂｅは、そのポール２ｂに添わせて環状部１の積層方向の端面側に導くようにコイル係止部５ｑにより規制されている。該環状部１の積層方向の端面側に至った巻き終わり線４ｂｅは、渡り線４ｗとなる。この渡り線４ｗは、コイル係止部５ｒの外向き面に掛けられ、次にコイル係止部５ｓの内向き面に掛けられて環状部１に添って隣のポール２ｃに渡される。隣のポール２ｃでは、コイル４ｃはコイル係止部５ｓにより規制されて該ポール２ｃに巻付けられる。該ポール２ｃに巻かれたコイル４ｃの巻き終わり線４ｂｅは、そのポール２ｃに添わせて環状部１の積層方向の端面側に導くようにコイル係止部５ｊの内向き面に掛けられて規制されている。次に、コイル４ｃの巻き終わり線４ｂｅは、ターミナル６ｂに半田付け接続されている。
【００１５】
このようにコイル４ａ〜４ｃ及び渡り線４ｗをコイル係止部５ａ〜５ｔにより規制すると、渡り線４ｗは隣接するポール２ａと２ｂとの間、ポール２ｂと２ｃとの間の間で斜めに渡らず、環状部１の積層方向の何れかの端面側で隣のポール２ｃや２ｃに渡ることになり、各ポールが振動しても渡り線４ｗが断線するのを防止することができる。
【００１６】
上記例では、コイル係止部をピンにより形成したが、このコイル係止部は各ポールの基部に存在する複数のピンに添った溝として形成することもできる。これらの溝に線を入れて係止すると、ピンと同様の効果を得ることができる。
【００１７】
また、取付け孔７は取付けポール２ｄ，２ｈに設けるものに限定されるものではなく、環状部１に設けることもできる。
【００１８】
【発明の効果】
本発明に係る発電機用固定子では、各ポールの基部に対応した環状部にそれぞれコイル係止部を設け、１つのポールに巻かれたコイルの巻き終わり線をそのポールに添わせて環状部の積層方向の端面側に導くようにコイル係止部により規制し、該環状部の積層方向の端面側に至った巻き終わり線は渡り線としてコイル係止部により環状部に添って隣のポールに渡し、隣のポールではコイル係止部により規制してコイルを該ポールに巻付け、該ポールに巻かれたコイルの巻き終わり線はそのポールに添わせて環状部の積層方向の端面側に導くようにコイル係止部により規制するので、渡り線が隣接するポールの間で斜めに渡らず、環状部の積層方向の何れかの端面側で隣のポールに渡ることになり、各ポールが振動しても渡り線が断線するのを防止することができる。
【００１９】
この場合、コイル係止部は、環状部側の絶縁材の部分に突設された複数のピンや溝により構成することができる。
【図面の簡単な説明】
【図１】（Ａ）は本発明に係る発電機用固定子で用いる固定子積層鉄心の実施の形態の一例を示す正面図、（Ｂ）は（Ａ）のＡ−Ｏ−Ａ線断面図、（Ｃ）は（Ａ）の背面図である。
【図２】（Ａ）は本発明に係る発電機用固定子の実施の形態の一例を示す正面図、（Ｂ）は（Ａ）のＢ−Ｏ−Ｂ線断面図、（Ｃ）は（Ａ）の背面図である。
【図３】本発明に係る発電機用固定子の実施の形態の一例の要部側面図である。
【図４】従来の発電機用固定子で用いる固定子積層鉄心の正面図である。
【図５】（Ａ）（Ｂ）は従来の発電機用固定子の正面図及び側面図である。
【図６】従来の他の発電機用固定子の巻線構造を示す側面図である。
【符号の説明】
１  環状部
２ａ〜２ｈ  ポール
３  固定子積層鉄心
４ａ〜４ｃ，４〜４ｇ  コイル
４ｗ  渡り線
５ａ〜５ｔ  コイル係止部
６ａ，６ｂ  ターミナル
７  取付け孔
【図１】
0003750543.tif 000002
【図２】
0003750543.tif 000003
【図３】
0003750543.tif 000004
【図４】
0003750543.tif 000005
【図５】
0003750543.tif 000006
【図６】
0003750543.tif 000007